(57)【要約】      （修正有）【課題】挿入部の角度が可変で、口数も可変なテーブルタップを提供する。【解決手段】テーブルタップは、ケーブル部ユニット２とコンセント部ユニット３ａ〜３ｄと端末部ユニット５により構成されており、コンセント挿入部の口数はコンセント部ユニット３ａ〜３ｄの数を増減することで対応することができる。各ユニットの端子部は同一の回転軸を中心の同心円上に配置された凸状の端子部と、凹状の端子部および凹状の円環溝端子部により構成されており、隣り合わせに連結されたコンセント部ユニット３ａ〜３ｄはそれぞれ凸状の端子部と凹状の端子部が係合し電気的に接合され、他方の凸状の端子部と凹状の円環溝端子部が係合し電気的に接合される。各端子部は連結方向を回転軸とした同心円上に配置されているので、各コンセント部ユニット３ａ〜３ｄは独立して３６０度回転が可能となる。【選択図】図１
2014072159.tif 000002
【特許請求の範囲】
【請求項１】
複数の電源プラグを挿入できるコンセント挿入部を有したテーブルタップにおいて、各プラグの挿入部が独立して３６０度回転可能な構造のテーブルタップ。
【請求項２】
１つのコンセント挿入部を有するコンセント部ユニットが複数個直列に連結して構成される請求項１のテーブルタップ。
【請求項３】
コンセント挿入部の各々のプラグ挿入端子と電気的に結線された凸形状の端子および凹状端子を有しているコンセント部ユニットにて構成された請求項１のテーブルタップ。
【請求項４】
コンセント挿入部の各々のプラグ挿入端子と電気的に結線された凸形状の端子、および凹形状の端子は同一の回転軸を中心に同心円上に配置されているコンセント部ユニット。
【請求項５】
それぞれ隣り合うコンセント部ユニットは磁石などの結合手段を備えており、その結合力にて連結および切り離しが可能な請求項４のコンセント部ユニット。
【請求項６】
それぞれ隣り合うコンセント部ユニットの端面には凸状の爪部と他の端面には凸状の爪部と係合する凹状の溝部を有しており、凸状の爪部と凹状の溝部の係合にて連結および切り離しが可能な請求項４のコンセント部ユニット。
【発明の詳細な説明】
【技術分野】
【０００１】
この発明は、複数のコンセント挿入部を有したテーブルタップに関するものである。
【背景技術】
【０００２】
従来のテーブルタップにおいては各コンセントの挿入部は同一平面上に固定され、隣り合うコンセント挿入部に電源アダプタ等を差し込む際に、アダプタの筐体が干渉して同時に使用することができなかった。
またテーブルタップのコンセント挿入部の数は、製品ごとに予め決められており、口数を増やしたい場合は、別途口数の多いテーブルタップを購入するか、コンセント挿入部に二股ソケット等を使用しなければならず、コストがかかったり接続する配線が煩雑になったりしていた。
【先行技術文献】
【特許文献】
【０００３】
【特許文献１】特開２０１１−１３８７２４号公報
【発明の概要】
【発明が解決しようとする課題】
【０００４】
しかしながら、以上の技術によれば、コンセント挿入部の移動は、同一平面内での回転もしくは上下左右の水平移動にとどまり、隣同士の電源アダプタ等が干渉せずに差込もうとすると、電源アダプタ等の筐体の形状は限定的となる。
また、コンセント挿入部の数を増やしたくても、新たに口数の多いテーブルタップを購入するか、二股ソケット等を使用するしかなく対応するのにコストがかかり、配線等も煩雑となるという問題があった。
【０００５】
本発明は上述の点に鑑みてなされたもので、その目的は隣り合うコンセント挿入部に差し込まれた電源アダプタ等の筺体が干渉せず、挿入部の数を自由に変更できるテーブルタップを提供することにある。
【課題を解決するための手段】
【０００６】
上述の課題を解決するために、請求項１のテーブルタップの発明では、各コンセント挿入部が独立して連結方向を回転軸として３６０度回転可能としたことを特徴としたテーブルタップである。
【０００７】
請求項２のテーブルタップの発明は、一つのコンセント挿入部を有するコンセント部ユニットが複数連結して構成することを特徴とするテーブルタップである。
【０００８】
請求項３のテーブルタップの発明は、一つのコンセント挿入部を有するコンセント部ユニットには、コンセントのそれぞれの電極と結線された凸形状の端子と、凹部形状の端子で構成されたことを特徴とするコンセント部ユニットである。
【０００９】
請求項４のテーブルタップの発明は、一つのコンセント挿入部を有するコンセント部ユニットに配置された凸形状の端子と、凹形状の端子がそれぞれ同一の回転軸を中心に、軸と直交する平面上で回転移動が可能な配置となったコンセント部ユニットである。
【００１０】
請求項５のテーブルタップの発明は、コンセント部ユニットに磁石等の吸着手段を埋込むことにより、隣合うコンセント部ユニットは吸着すると共に、連結部を自由に着脱可能としたコンセント部ユニットである。
【００１１】
請求項６のテーブルタップの発明は、隣合うコンセント部ユニットに、一方には凸状の爪部、他方は前記爪部と係合する凹状の溝部を有し、着脱可能としたコンセント部ユニットである。
【発明の効果】
【００１２】
請求項１〜４のテーブルタップの発明によれば、各コンセント挿入部が連結方向を回転軸として３６０度自由に回転できる構造としたことで、隣合う電源アダプタ等の筐体は干渉せず、全てのコンセント挿入部が利用可能となり、必要なコンセント挿入部の数に合わせて、コンセント部ユニットを容易に増減することができる。
【００１３】
請求項５〜６のテーブルタップの発明によれば、各コンセント部ユニットは、隣り合うコンセント部ユニットと着脱が容易にできる。
【図面の簡単な説明】
【００１４】
【図１】本発明の使用形態を示す上面図である。
【図２】テーブルタップを各ユニット毎に分解した上面図である。
【図３】（ａ）はコンセント差込み口を回転させる前の斜視図であり、（ｂ）はコンセント差込み口の向きを回転させた後の斜視図である。
【図４】（ａ）はコンセント部ユニットを追加する前の上面図であり、（ｂ）は追加する位置でコンセント部ユニットを分割した後の上面図であり、（ｃ）はコンセント部ユニットを追加した後の上面図である。
【図５】（ａ）コンセント部ユニット間を連結する方法を示した実施例の上面図であり、（ｂ）は他の実施例の上面図である。
【図６】（ａ）はコンセント部ユニットの左側面図であり、（ｂ）はコンセント部ユニットの上面図であり、（ｃ）はコンセント部ユニットの右側面図である。
【図７】コンセント部ユニットの内部結線図である。
【図８】ケーブル部ユニットの構造を示した斜視図である。
【図９】ケーブル部ユニットの内部結線図である。
【図１０】端末部ユニットの構造を示した斜視図である。
【図１１】端子形状の他の実施例を示した図であり、（ａ）はコンセント部ユニットの左側面図であり、（ｂ）はコンセント部ユニットの上面図であり、（ｃ）はコンセント部ユニットの右側面図である。
【図１２】端子形状の他の実施例における内部結線図である。
【図１３】（ａ）は、従来技術を示した斜視図であり、（ｂ）は従来技術の他の実施例を示した斜視図である。
【発明を実施するための最良の形態】
【００１５】
以下、本発明のテーブルタップの実施形態について図１〜図１３を参照して説明する。尚、以下の説明では、図１の紙面手前方をテーブルタップの上方とし、図１の紙面奥方をテーブルタップの下方とするが、これは説明の簡略化のためであって、テーブルタップの使用形態が上記の方向に限られることを意味するものではない。また、図１〜図１３で示されるコンセント部ユニット３の個数は実施例であり、コンセント部ユニットの数を限定するものではない。
【００１６】
本実施形態のテーブルタップは、図１、図２に示すようにケーブル部ユニット２と、端末部ユニット５の間に、コンセント部ユニット３ａ〜３ｄを直列に連結して構成されたコンセント部４を有するテーブルタップ１である。
【００１７】
コンセント部４に電源プラグ６ａ〜６ｃを接続しようとした際に、隣り合う電源プラグの筺体が干渉して接続することができない場合、図３に示すようにコンセント部ユニット３ａ〜３ｄを連結方向を回転軸として、隣り合う電源プラグの筺体が干渉しないように回転することができるテーブルタップ１であり、コンセント部ユニット３ａ〜３ｄは其々独立して回転することが出来る。
【００１８】
本テーブルタップ１は各部ユニットの組合せで構成されているため、図４（ａ）〜図４（ｃ）に示すようにコンセントの口数を増やしたい場合は、コンセント部ユニット３を追加することで口数を増やすことができる。またコンセントの口数を減らすことも同様に、コンセント部ユニット３の数を減らすことで対応可能である。すなわち、本テーブルタップ１はコンセント部ユニット３の数を変更することで、自由にコンセントの口数を変更することができるので様々な用途に対応ができるという特長を持っている。
【００１９】
コンセント部ユニット３の連結手段について図５（ａ）、図５（ｂ）に示す。図５（ａ）では磁力を連結に使用した場合の実施例を示す。コンセント部ユニット３には磁石７および磁石８が内蔵されている。コンセント部ユニット３は直列に配列されているので、隣合わせのコンセント部ユニット３ａおよび３ｂに内蔵された磁石７ａと磁石８ｂは、その磁力で引合い連結結合することができる。磁石７および８は、一方が鉄等の磁性体でもよい。
【００２０】
図５（ｂ）は凸状の爪部と、それに係合する凹部を連結に使用した場合の実施例を示す。コンセント部ユニット３には凸状の爪部３１、および凸状の爪部３１と係合される凹状の溝部３２が一体的に構成されている。コンセント部ユニット３は直列配列されているので、隣合わせのコンセント部ユニット３ａおよび３ｂに構成された凸状の爪部３１ａと凹状の溝部３２ｂは係合され連結される。
【００２１】
コンセント部ユニット３の端子構造について図６（ａ）〜（ｃ）に示す。コンセント部ユニット３にはコンセント挿入部９が１箇所構成されている。また、同一端面に凹状端子部１０ａ、凹状の円環溝端子部１１ａが構成されており、他方の端面には凸状端子部１０ｂと凸状端子部１１ｂが構成配置されている。
【００２２】
凸状端子部１０ｂを凹状端子部１０ａに挿入することができ、挿入した際は電気的に接合された状態となる。
【００２３】
凸状端子部１１ｂは凹状の円環溝端子部１１ａに挿入することができ、凸状端子部１１ｂは凸状端子部１０ｂを中心軸として回転可能であり、その際に凸状端子部１１ｂは凹状の円環溝端子部１１ａ内に挿入された状態で回転移動することができる。凸状端子部１１ｂが凹状の円環溝端子部１１ａに挿入した際は電気的に接合された状態となる。
【００２４】
コンセント部ユニット３内の各端子間での電気的結合状態を図７に示す。凹状端子部１０ａと凸状端子部１０ｂとコンセント挿入部９のプラグ挿入端子９Ｙは結線１２Ｙで電気的に結合されており、凹状の円環溝端子部１１ａと凸状端子部１１ｂもプラグ挿入端子９Ｘと結線１２Ｘで電気的に結合されている。
【００２５】
ケーブル部ユニット２の構成を図８に示す。ケーブル部ユニット２は凸状端子部１０ｂ、別の凸状端子部１１ｂ、およびプラグ部１３で構成されている。
【００２６】
ケーブル部ユニット２内の各端子間での電気的結合状態を図９に示す。凸状端子部１０ｂとプラグ部１３を構成するプラグ端子１６Ｘは結線１４Ｘにて電気的に結合されており、凸状端子部１１ｂとプラグ部１３を構成するプラグ端子１６Ｙは結線１４Ｙにて電気的に結合されている。
【００２７】
端末部ユニット５の構成を図１０に示す。端末部ユニット５には中心軸位置に凹状絶縁体１５Ｘと中心軸の円周位置に配置された凹状の円環溝絶縁体１５Ｙが構成されており、コンセント部ユニット３と端末部ユニット５を連結した際に、凸状端子部１０が凹状絶縁体１５Ｘと係合し、凸状端子部１１が凹状の円環溝絶縁体１５Ｙと係合することで凸状端子１０と凸状端子１１間での絶縁は確保される。
【００２８】
図１１（ａ）〜（ｃ）では端子部の他の実施形状について示す。コンセント部ユニット３の一つの端面には凹状端子部１１ａが構成され、絶縁体１５を介して中心部に端子部１０ａが構成されている。また他方の端面には凸状端子部１１ｂが構成されており、凸状端子部１１ｂの中心には絶縁体１５を介して端子部１０ｂが構成配置されている。
【００２９】
凸状端子部１１ｂを凹状端子部１１ａに挿入することができ、挿入した際は電気的に接合された状態となる。その際に凸状端子部１１ｂおよび凹状端子部１１ａの中心に配置した端子部１０ａおよび１０ｂも接触し電気的に接合された状態となる。このように端子部を配置することで端子部１０および端子部１１は同軸上に配置することができ、連結の構造を簡素にすることができる。
【００３０】
図１１で示したコンセント部ユニット３内の各端子間での電気的結合状態を図１２に示す。凹状端子部１１ａと凸状端子部１１ｂとプラグ挿入端子９Ｘは結線１２Ｘで電気的に結合してており、端子部１０ａと端子部１０ｂもプラグ挿入端子９Ｙと結線１２Ｙで電気的に結合されている。しかし端子部１０と端子部１１との間は絶縁体１５によって絶縁されている。
【００３１】
図１３（ａ）および図１３（ｂ）は従来のテーブルタップの実施例を示す。図１３（ａ）で示すテーブルタップはコンセント部ユニット３が同一平面上に固定された状態で配置された実施例であり、回転および分割することは出来ず、図１３（ｂ）で示すテーブルタップはコンセント部ユニット３ａ〜３ｄが９０度ないし１８０度回転移動することは可能であるが、回転角度は限定的であり本発明のテーブルタップ１の様に、各コンセント部ユニット３が３６０度自由に回転させることが出来るものではなく、かつコンセント部ユニット３の数も製造段階で決定され、コンセントの口数を自由に増減させることは出来ない構造となっている。
【符号の説明】
【００３２】
１  テーブルタップ
２  ケーブル部ユニット
３，３ａ〜３ｄ  コンセント部ユニット
４  コンセント部
５  端末部ユニット
６，６ａ，６ｂ，６ｃ  接続機器の電源プラグ
７，７ａ，７ｂ  磁石、または磁性体
８，８ａ，８ｂ  磁石、または磁性体
９  コンセント挿入部
９Ｘ，９Ｙ  プラグ挿入端子
１０  端子部
１０ａ  凹状の端子部
１０ｂ  凸状の端子部
１１  端子部
１１ａ  凹状の円環溝端子部
１１ｂ  凸状の端子部
１２Ｘ，１２Ｙ  コンセント部ユニット内の結線
１３  プラグ部
１４Ｘ，１４Ｙ  ケーブル部ユニット内の結線
１５，１５Ｘ，１５Ｙ  絶縁体
１６Ｘ，１６Ｙ  プラグ端子  
３１，３１ａ，３１ｂ  凸状の爪部
３２，３２ａ，３２ｂ  凹状の溝部
【図１】
2014072159.tif 000003
【図２】
2014072159.tif 000004
【図３】
2014072159.tif 000005
【図４】
2014072159.tif 000006
【図５】
2014072159.tif 000007
【図６】
2014072159.tif 000008
【図７】
2014072159.tif 000009
【図８】
2014072159.tif 000010
【図９】
2014072159.tif 000011
【図１０】
2014072159.tif 000012
【図１１】
2014072159.tif 000013
【図１２】
2014072159.tif 000014
【図１３】
2014072159.tif 000015